(57)【要約】  本発明は、チューブセクション(５)から空気流(４)を発生させるための電気ファン(２)および直列配置の電気加熱装置(３)を含み、ファン(２)がハウジングセクション(６)内に、加熱装置(３)がチューブセクション(６)に配置されているハンド・ヘア・ドライヤー(１)に関する。操作エレメント(７)を有する第一の取手(８)が、チューブセクション(５)に対して約９０度の角度でハウジングセクション(６)に設けられている。チューブセクション(５)は、第二の取手(９)として具現化され、ハンド・ヘア・ドライヤー(１)の操作の際に人間工学的な利点を提供する。
2006528504.tif 000002
【特許請求の範囲】
【請求項１】
チューブセクション(５)から空気流(４)を発生させるための電気ファン(２)および直列配置の電気加熱装置(３)を備え、ファン(２)がハウジングセクション(６)に、加熱装置(３)がチューブセクション(５)内に設けられており、ハウジングセクション(６)に、操作エレメント(７)を有する第一の取手(８)を、チューブセクション(５)に対して約９０度の角度で設けて成り、チューブセクション(５)が第二の取手(９)として形成されていることを特徴とするハンド・ヘア・ドライヤー(１)。
【請求項２】
前記第二の取手(９)が熱絶縁形成されていることを特徴とする、請求項１記載のハンド・ヘア・ドライヤー。
【請求項３】
前記チューブセクション(５)が外部を熱絶縁性に形成されていることを特徴とする、請求項１記載のハンド・ヘア・ドライヤー。
【請求項４】
前記第二の取手(９)と前記チューブセクション(５)が外部を熱絶縁性に形成されていることを特徴とする、請求項１記載のハンド・ヘア・ドライヤー。
【請求項５】
前記第二の取手(９)が円筒形に形成されていることを特徴とする、請求項１記載のハンド・ヘア・ドライヤー。
【請求項６】
前記第一および第二の取手(８、９)に適宜各々滑り止め付表面(１３)を装着したことを特徴とする、請求項１記載のハンド・ヘア・ドライヤー。
【請求項７】
前記第一の取手(８)に第一の冷気スイッチ(１０)を、前記第二の取手(９)に第二の冷気スイッチ(１１)を配置したことを特徴とする、請求項１記載のハンド・ヘア・ドライヤー。
【請求項８】
前記第一の取手(８)と前記第二の取手(９)の間に、共通操作性の第一、第二、または第三の冷気組合せスイッチ(１６、１６．１、１６．２)を配置して成ることに特徴づけられる、請求項１記載のハンド・ヘア・ドライヤー。
【請求項９】
前記第一の冷気組合せスイッチ(１６)として、キースイッチ(１７)を装着して成ることに特徴づけられる、請求項８記載のハンド・ヘア・ドライヤー。
【請求項１０】
前記第二の冷気組合せスイッチ(１６．１)として、一柄回動キースイッチ(１８)を装着して成ることを特徴とする、請求項８記載のハンド・ヘア・ドライヤー。
【請求項１１】
前記第三の冷気組合せスイッチ(１６．２)として、二柄回動キースイッチ(１９)を装着して成ることを特徴とする、請求項８記載のハンド・ヘア・ドライヤー。
【請求項１２】
前記チューブセクション(５)内に、同心状に配置された暖気管(２８)と同軸の冷気管(２９)が設けられており、同心暖気管(２８)が、加熱装置(３)を内部に備えた中空円筒管(３０)により形成されており、同軸の冷気管(２９)が、チューブセクション(５)と同心暖気管(２８)とで形成されており、同心暖気管(２８)および同軸冷気管(２９)が、ファン(２)の冷気流(３１)に関して開口して、同心暖気管(２８)から暖気流出口(３２)へと加熱装置(３)を経、かつ、同軸冷気管(２９)から冷気流(３３)を生じることに特徴づけられる、請求項１記載のハンド・ヘア・ドライヤー。
【発明の詳細な説明】
【技術分野】
【０００１】
本発明は、請求項１の上位概念に係るハンド・ヘア・ドライヤーに関する。
【背景技術】
【０００２】
チューブセクションから空気流を発生させるために電気ファンおよび直列配置の電気加熱装置を備えたこの種のハンド・ヘア・ドライヤーは、例えばＥＰ１０８６６３１Ａ１号から公知である。ファンはハウジングセクション中に、加熱装置はチューブセクション中に配置されている。ハウジングセクションには、チューブセクションに対して約９０度の角度で、操作エレメント(スイッチ)を有する取手が設けられている。取手を手で握った所定の位置で、所定の乾燥のために操作エレメントを用いて、所定の温度および送風段階を、通常、処置中ほとんど変化させずに用いて、調節できる。ブラシで整えた毛髪の仕上がりの崩れにくさ(調整(Konditionierung))を改良するために、短時間冷風を当てるが、このためには、冷気キーを押さえて加熱装置を短時間遮断する。所定の保持位置では、ハンド・ヘア・ドライヤーでの人間工学的な作業は不可能である。
【発明の開示】
【発明が解決しようとする課題】
【０００３】
本発明は、単純な措置により、人間工学的な改良を達成する、同種のハンド・ヘア・ドライヤーを製造することを課題とする。
これらの課題は、請求項１の特徴的部分の特性により解決される。本発明の有利な展開が、従属請求項から可能である。
【課題を解決するための手段】
【０００４】
本発明を、実施例に従いさらに詳しく記載する。
図１は、チューブセクション５から空気流４を発生させるための電気ファン２と直列配置の電気加熱装置３を有し、ハウジングセクション６中にファン２を、チューブセクション５中に加熱装置３を配置して成るハンド・ヘア・ドライヤー１を示す。チューブセクション５に対して約９０度の角度で、操作エレメント７(ファン段階スイッチ２６、加熱段階スイッチ２７)を有する第一の取手８が、ハウジングセクション６に設けられている。チューブセクション５は、第一の取手８とほぼ同一の口径(寸法)を示す第二の取手９として形成されたものである。これにより、ハンド・ヘア・ドライヤーの使用時に、第二の取手９の選択もまた可能となり、例えば図２〜５から明らかな、ハンド・ヘア・ドライヤーの操作の人間工学的な改良が達成される。
【０００５】
第二の取手９は、熱絶縁形成されており(図９にも示す)、これにより熱くなり得ないようになっている(低温取手ゾーン)。
別に、または追加的に、チューブ５は外部を熱絶縁性に形成して、第二の取手９が熱くなり得ないようにすることもできる。
第二の取手９は、簡単に握ったり持ったりできるよう、円筒形に形成されている。
第一および第二の取手８、９は適宜、滑り止め付の表面１３を、選択により装着する。これにより、ハンド・ヘア・ドライヤー１を持つ時に、確実に握ることができるようになる。
【０００６】
第一の取手８には第一の冷気組合せスイッチ１０が設けられており、第二の取手９には第二の冷気組合せスイッチ１１が設けられている。第二の冷気組合せスイッチ１１は、ハウジングセクション６の近傍１２または内側に設けられている。これにより、第二の取手９を持った時に、第二の冷気組合せスイッチ１１の人間工学的な操作が得られる。特に、冷気組合せスイッチ１０、１１は、キースイッチ１０、１１として企画される。冷気組合せスイッチ１０、１１の適宜の操作により、加熱装置３の電力供給を絶ち、ファン２からの冷気３１(図９)のみが空気流出口３５から発生する。
【０００７】
図２は、理髪師２０による頭部毛髪１４から後部毛髪領域１４．１の空気流処理の際の、ハンド・ヘア・ドライヤー１の第一の取手８を用いる通常の操作の位置を示す。
図３は、理髪師２０による上部毛髪１４．２の空気流処理の際の、ハンド・ヘア・ドライヤー１の第一の取手８を用いる通常の操作の位置を示す。これに関しては、理髪師２０の不都合な腕の姿勢が明らかである。この他、ネットケーブル２５が客１５の近傍に来る不都合が生じる。
【０００８】
図４は、ハンド・ヘア・ドライヤー１の第二の取手９の使用による、ハンド・ヘア・ドライヤー１の人間工学的な操作上の利点を、図３と比較して示す。理髪師２０の腕の姿勢が人間工学的に好都合に低くなっていることが明らかである。加えて、ネットケーブル２５が客１５から離れる好都合が生じる。
図５は、第一および第二の取手８、９を有するハンド・ヘア・ドライヤー１での自己処理操作の際の、人間工学的な相違を示す。これに関し、頭部毛髪１４に対して同様に位置づけるに際しての、２つの主要な相違が明らかである。
【０００９】
１．ハンド・ヘア・ドライヤー１を第一の取手８で持つ場合、ハンド・ヘア・ドライヤー１を第二の取手９で持つ場合の左手２２よりも、右手２１を明らかに高く保持しなければならない。
２．手の関節点２３とハンド・ヘア・ドライヤー１の重心２４との間隔Ｘ１が大きいことにより、ハンド・ヘア・ドライヤー１の保持が加重される。加えて、空気流出口２５と頭部毛髪１４の間の適当な間隔が非常に制御しにくい。手の関節点２３とハンド・ヘア・ドライヤー１の重心２４との間隔Ｘ２が狭いことにより、空気流出口２５と頭髪１４の間の適当な間隔が制御し易く、ハンド・ヘア・ドライヤー１の保持が、人間工学的に好都合となる。
【００１０】
図６は、第一と第二の取手８、９の間に第一の冷気組合せスイッチ１６を設けて成る、図１に示すハンド・ヘア・ドライヤー１の側面図を示す。第一の冷気組合せスイッチ１６として、ここでは、第一または第二の取手８、９の選択により、指での操作(Ｆ１)が可能なキースイッチ１７を示す。そのため、第二の冷気スイッチ１１はなくなる。
図７は、第一と第二の取手８、９の間に第二の冷気組合せスイッチ１６．１を有する、図１に示すハンド・ヘア・ドライヤー１の側面図を示す。第二の冷気組合せスイッチ１６．１として、ここでは、第一または第二の取手８、９の選択により、指での操作(Ｆ２、Ｆ３)が可能な、一柄回動キースイッチ(einschenklinger Kipptastschalter)１８を示す。そのため、第二の冷気スイッチ１１はなくなる。
【００１１】
図８は、第一と第二の取手８、９の間に第二の冷気組合せスイッチ１６．２を有する、図１に示すハンド・ヘア・ドライヤー１の側面図を示す。第二の冷気組合せスイッチ１６．２として、ここでは、第一または第二の取手８、９の選択により、指での操作(Ｆ２、Ｆ３)が可能な、二柄(Ｖ−型)回動キースイッチ１９を示す。そのため、第二の冷気スイッチ１１はなくなる。
【００１２】
図９は、図６に示すハンド・ヘア・ドライヤー１に関し、チューブセクション５内に、同心状に配置された暖気管２８と同軸の冷気管２９が設けられているために、第二の取手９の近傍で特に冷却状態が持続する、特に好ましいハンド・ヘア・ドライヤー１を記載する。同心の暖気管２８は、加熱装置３を内部に備えた中空円筒管３０により形成されている。同軸の冷気管２９は、チューブセクション５と同心暖気管２８により形成されている。同心暖気管２８および同軸冷気管２９は、ファン２の冷気流３１に関して開口して、同心暖気管２８から暖気流出口３２へと加熱装置３を経、かつ、同軸冷気管２９から冷気流３３を生じ、この際、同軸冷気管２９中の一定の冷気流３１が第二の取手９を冷却する。
【図面の簡単な説明】
【００１３】
【図１】図１は、第一および第二の取手を有するハンド・ヘア・ドライヤーの一側面図である。
【図２】図２は、理髪師による頭部毛髪部の空気流処理の際の、ハンド・ヘア・ドライヤーの第一の取手を用いる通常の操作の位置を示す。
【図３】図３は、理髪師による上部毛髪の空気流処理の際の、ハンド・ヘア・ドライヤーの第一の取手を用いる通常の操作の位置を示す。
【図４】図４は、ハンド・ヘア・ドライヤーの第二の取手の使用による、ハンド・ヘア・ドライヤーの人間工学的な操作上の利点を、図３と比較して示す。
【図５】図５は、第一および第二の取手を有するハンド・ヘア・ドライヤーでの自己処理操作の際の、人間工学的な相違を示す。
【図６】図６は、第一の冷気組合せスイッチを有する、図１に示すハンド・ヘア・ドライヤーの側面図を示す。
【図７】図７は、第二の冷気組合せスイッチを有する、図１に示すハンド・ヘア・ドライヤーの側面図を示す。
【図８】図８は、第三の冷気組合せスイッチを有する、図１に示すハンド・ヘア・ドライヤーの側面図を示す。
【図９】図９は、冷却状態の第二の取手を有する、図６に示すハンド・ヘア・ドライヤーの側面図を示す。
【符号の説明】
【００１４】
１  ハンド・ヘア・ドライヤー
２  ファン
３  加熱装置
４  空気流
５  チューブセクション
６  ハウジングセクション
７  操作エレメント
８  第一の取手
９  第二の取手
１０  第一の冷気スイッチ
１１  第二の冷気スイッチ
１２  ハウジングチャンバー６の近傍
１３  滑り止め付の表面
１４  頭部毛髪
１４．１  後部毛髪領域
１４．２  上部毛髪
１５  客
１６  第一の冷気組合せスイッチ
１６．１  第二の冷気組合せスイッチ
１６．２  第三の冷気組合せスイッチ
１７  キースイッチ
１８  一柄回動キースイッチ
１９  二柄回動キースイッチ
２０  理髪師
２１  右腕
２２  左腕
２３  手の関節点
２４  ハンド・ヘア・ドライヤーの重心
２５  ネットケーブル
２６  ファン段階スイッチ
２７  加熱段階スイッチ
２８  同心暖気管
２９  同軸冷気管
３０  管
３１  冷気流／ファン２
３２  暖気流出口
３３  冷気流出口
３４  空気取入セクション
３５  空気流出口
Ｆ１−３  スイッチ操作の向き
Ｘ１、Ｘ２  手の関節点/ハンド・ヘア・ドライアー間の重心の間隔
【図１】
2006528504.tif 000003
【図２】
2006528504.tif 000004
【図３】
2006528504.tif 000005
【図４】
2006528504.tif 000006
【図５】
2006528504.tif 000007
【図６】
2006528504.tif 000008
【図７】
2006528504.tif 000009
【図８】
2006528504.tif 000010
【図９】
2006528504.tif 000011
【国際調査報告】
2006528504.tif 000012
2006528504.tif 000013
2006528504.tif 000014
2006528504.tif 000015